(57)【特許請求の範囲】
【請求項１】
記録媒体に記録されている所定の情報をファイル化してファイルを作成するためのファイル作成命令を生成する命令生成手段と、
既にファイルが記録されている上記記録媒体に新規ファイルを作成する場合、上記命令生成手段によって生成された上記ファイル作成命令に応じて、上記ファイルが作成されているファイル領域と重複した領域を有する新規ファイル領域に上記所定の情報をファイル化した上記新規ファイルを作成するファイル生成手段と、
上記ファイルの記録時に、上記ファイルの記録を行うための記録媒体をファイルの記録を開始する開始位置からファイルの記録を終了する終了位置まで駆動する記録媒体駆動手段と、
複数のファイルを管理するための情報であって、ファイル毎の記録媒体上における絶対的な位置を示すファイル巻径情報、及びファイル毎の記録媒体上における相対的な位置を示すタイムコード情報を含むファイル管理情報が記憶された記憶手段と、
上記記憶手段に記憶されたファイル管理情報を上記ファイルの記録後に更新するデータ更新手段とを備え、
上記ファイル作成手段は、
既に第１のファイルが記録されている上記記録媒体に第２のファイルを作成する場合に、上記命令生成手段によって生成された上記ファイル作成命令に応じて、上記記憶手段に記憶されたファイル管理情報内から第１のファイルのファイル巻径情報及びタイムコード情報を取得し、取得したファイル巻径情報及びタイムコード情報に基づいて上記記録媒体を駆動させた後、上記第１のファイルと一部重複して上記第２のファイルを生成するように、上記記録媒体駆動手段を制御する情報処理装置。
【請求項２】
上記ファイルは、ＧＯＰ（Group  of  Picture）単位の画像情報からなる画像ファイルである請求項１記載の情報処理装置。
【請求項３】
上記記録媒体は、磁気テープであり、
上記磁気テープが収容されたビデオカセットが情報処理装置本体に装着されたときに、上記ビデオカセットの筺体に装着されたメモリタグから、ファイル管理情報を非接触で読み出すファイル管理情報読み出し手段を更に備え、
上記記憶手段には、
上記ファイル管理情報読み出し手段によって読み出されたファイル管理情報が記憶されている請求項１記載の情報処理装置。
【請求項４】
記録媒体に情報を記録する記録手段と、
上記記録媒体に記録されている所定の情報をファイル化してファイルを作成するためのファイル作成命令を生成する命令生成手段と、
上記記録手段によって上記記録媒体に情報を記録する場合、既にファイルが記録されている上記記録媒体に新規ファイルを作成する場合、上記命令生成手段によって生成された上記ファイル作成命令に応じて、上記ファイルが作成されているファイル領域と重複した領域を有する新規ファイル領域に上記所定の情報をファイル化した上記新規ファイルを作成するファイル生成手段と、
上記ファイルの記録時に、上記ファイルの記録を行うための記録媒体をファイルの記録を開始する開始位置からファイルの記録を終了する終了位置まで駆動する記録媒体駆動手段と、
複数のファイルを管理するための情報であって、ファイル毎の記録媒体上における絶対的な位置を示すファイル巻径情報、及びファイル毎の記録媒体上における相対的な位置を示すタイムコード情報を含むファイル管理情報が記憶された記憶手段と、
上記記憶手段に記憶されたファイル管理情報を上記ファイルの記録後に更新するデータ更新手段とを備え、
上記ファイル作成手段は、
既に第１のファイルが記録されている上記記録媒体に第２のファイルを作成する場合に、上記命令生成手段によって生成された上記ファイル作成命令に応じて、上記記憶手段に記憶されたファイル管理情報内から第１のファイルのファイル巻径情報及びタイムコード情報を取得し、取得したファイル巻径情報及びタイムコード情報に基づいて上記記録媒体を駆動させた後、上記第１のファイルと一部重複して上記第２のファイルを生成するように、上記記録媒体駆動手段を制御する情報処理装置。
【請求項５】
上記ファイルは、ＧＯＰ（Group  of  Picture）単位の画像情報からなる画像ファイルである請求項４記載の情報処理装置。
【請求項６】
上記記録媒体は、磁気テープであり、
上記磁気テープが収容されたビデオカセットが情報処理装置本体に装着されたときに、上記ビデオカセットの筺体に装着されたメモリタグから、ファイル管理情報を非接触で読み出すファイル管理情報読み出し手段を更に備え、
上記記憶手段には、
上記ファイル管理情報読み出し手段によって読み出されたファイル管理情報が記憶されている請求項４記載の情報処理装置。
【発明の詳細な説明】
【０００１】
【発明の属する技術分野】
本発明は、ファイルが記録された記録媒体にファイルを作成する情報処理装置に関する。
【０００２】
【従来の技術】
記録媒体に記録されたファイルをファイル単位で管理するファイルシステムでは、通常、記録媒体のデータ記録領域をファイルが記録されている領域であるレコードエントリー（ＲＥ）領域と、何も記録されていない領域であるフリースペースリスト（ＦＳＬ）領域とに分割して管理を行う。
【０００３】
ファイルシステムは、新規ファイルを作成する際には、フリースペースリスト（ＦＳＬ）領域に空き領域があるかどうか検索をし、空き領域があった場合には、その領域をレコードエントリー（ＲＥ）領域に登録し新規ファイルを作成すると共に、フリースペースリスト（ＦＳＬ）領域から削除するといった処理を行う。
【０００４】
【発明が解決しようとする課題】
通常、ファイルを構成するデータはお互いに関連を有し、独立しておらず、ファイルという単位とすることで始めて意味をなす独立したデータとなる。しかし、画像ファイルは、それ自身で完結した情報であるＧＯＰ（Group of Picture）が複数集まって構成されているため、ファイル単位としなくても意味をなす独立したデータがファイル中に存在することになる。
【０００５】
放送業務などで画像データを扱う場合は、まず、素材となる長時間の記録をした画像ファイルを生成し、素材から放送に必要となる画像のみ抽出し、抽出した画像にさらに他の画像を付加することで放送用の画像ファイルを作成している。
【０００６】
そこで、本発明は上述したような、例えば、画像情報のようにＧＯＰなどの独立したデータから構成されたデータが記録媒体に記録されている場合に、ファイルシステムに拘わらず自由にファイルを作成することができる情報処理装置を提供することを目的とする。
【０００７】
【課題を解決するための手段】
上述の目的を達成するために、本発明に係る情報処理装置は、記録媒体に記録されている所定の情報をファイル化してファイルを作成するためのファイル作成命令を生成する命令生成手段と、既にファイルが記録されている上記記録媒体に新規ファイルを作成する場合、上記命令生成手段によって生成された上記ファイル作成命令に応じて、上記ファイルが作成されているファイル領域と重複した領域を有する新規ファイル領域に上記所定の情報をファイル化した上記新規ファイルを作成するファイル生成手段と、上記ファイルの記録時に、上記ファイルの記録を行うための記録媒体をファイルの記録を開始する開始位置からファイルの記録を終了する終了位置まで駆動する記録媒体駆動手段と、複数のファイルを管理するための情報であって、ファイル毎の記録媒体上における絶対的な位置を示すファイル巻径情報、及びファイル毎の記録媒体上における相対的な位置を示すタイムコード情報を含むファイル管理情報が記憶された記憶手段と、上記記憶手段に記憶されたファイル管理情報を上記ファイルの記録後に更新するデータ更新手段とを備え、上記ファイル作成手段は、既に第１のファイルが記録されている上記記録媒体に第２のファイルを作成する場合に、上記命令生成手段によって生成された上記ファイル作成命令に応じて、上記記憶手段に記憶されたファイル管理情報内から第１のファイルのファイル巻径情報及びタイムコード情報を取得し、取得したファイル巻径情報及びタイムコード情報に基づいて上記記録媒体を駆動させた後、上記第１のファイルと一部重複して上記第２のファイルを生成するように、上記記録媒体駆動手段を制御することを特徴とする。
【０００８】
また、上述の目的を達成するために、本発明に係る情報処理装置は、記録媒体に情報を記録する記録手段と、上記記録媒体に記録されている所定の情報をファイル化してファイルを作成するためのファイル作成命令を生成する命令生成手段と、上記記録手段によって上記記録媒体に情報を記録する場合、既にファイルが記録されている上記記録媒体に新規ファイルを作成する場合、上記命令生成手段によって生成された上記ファイル作成命令に応じて、上記ファイルが作成されているファイル領域と重複した領域を有する新規ファイル領域に上記所定の情報をファイル化した上記新規ファイルを作成するファイル生成手段と、上記ファイルの記録時に、上記ファイルの記録を行うための記録媒体をファイルの記録を開始する開始位置からファイルの記録を終了する終了位置まで駆動する記録媒体駆動手段と、複数のファイルを管理するための情報であって、ファイル毎の記録媒体上における絶対的な位置を示すファイル巻径情報、及びファイル毎の記録媒体上における相対的な位置を示すタイムコード情報を含むファイル管理情報が記憶された記憶手段と、上記記憶手段に記憶されたファイル管理情報を上記ファイルの記録後に更新するデータ更新手段とを備え、上記ファイル作成手段は、既に第１のファイルが記録されている上記記録媒体に第２のファイルを作成する場合に、上記命令生成手段によって生成された上記ファイル作成命令に応じて、上記記憶手段に記憶されたファイル管理情報内から第１のファイルのファイル巻径情報及びタイムコード情報を取得し、取得したファイル巻径情報及びタイムコード情報に基づいて上記記録媒体を駆動させた後、上記第１のファイルと一部重複して上記第２のファイルを生成するように、上記記録媒体駆動手段を制御することを特徴とする。
【０００９】
【発明の実施の形態】
以下、本発明に係る情報処理装置の実施の形態を図面を参照にして詳細に説明する。
【００１０】
本発明は、図１にブロック図として示したビデオテープレコーダ（以下、ＶＴＲとする）に適用される。本発明の実施の形態として示すＶＴＲは、磁気テープを備えたビデオカセットを当該ＶＴＲが備えるビデオカセット装着部に装着させ、映像信号、音声信号の上記磁気テープへの記録、又は、上記磁気テープからの再生をファイルシステムによるファイル管理によって行ったり、ファイルシステムを介さずに行うことができる装置である。磁気テープへ記録する映像信号は、所定のネットワークを介して外部装置から入力され、磁気テープから再生した映像信号は、所定のネットワークを介して外部装置へ出力される。
【００１１】
ＶＴＲは、ネットワークインターフェース１と、バッファメモリ２と、ＶＴＲシステム３と、コントロールパネル４と、ファイルシステム制御部５と、エンコーダ／デコーダ（以下、ＥＮＣ／ＤＥＣと呼ぶ）６と、ファイルシステム用メモリ７と、ＣＰＵ８とを備えている。
【００１２】
ネットワークインターフェース１は、当該ＶＴＲと、外部装置とをネットワークを介して接続するためのインターフェースである。当該ＶＴＲには、外部装置からネットワークインターフェース１を介して、映像信号、音声信号が入力される。
【００１３】
ＶＴＲが当該ネットワークインターフェース１を介して接続されるネットワークは、例えば、ＬＡＮ（Local Area Network）などであり、ＯＳＩ（Open Systems Interconnection）参照モデルのデータリンク層の一部と、物理層をカバーするプロトコルとしてＥｔｈｅｒｎｅｔ（登録商標）を用い、ネットワーク層、トランスポート層をカバーするプロトコルとしてＴＣＰ（Transmission Control Protocol）／ＩＰ（Internet Protocol）を用い、さらに、セッション層、プレゼンテーション層、アプリケーション層をカバーするプロトコルとしてＦＴＰ（File Transfer Protocol）を用いることで映像情報、音声情報を送受信できる。
【００１４】
ネットワークインターフェース１は、例えば、ネットワーク接続用の専用基板であるＮＩＣ（Network Interface Card）であり、データ転送速度が１０Ｍｂｐｓ、１００Ｍｂｐｓ、さらには１Ｇｂｐｓの高速データ伝送に対応したＬＡＮケーブルを接続可能なコネクタを備えている。
【００１５】
ネットワークインターフェース１から入力された映像信号、音声信号は、後段のバッファメモリ２に送出され、一時的にバッファリングされ、さらにＶＴＲシステム部３に送出される。
【００１６】
また、後述するようにして再生時において、ＶＴＲシステム部３で再生された映像信号、音声信号は、バッファメモリ２に出力され一時的にバッファリングされ、後段のネットワークインターフェース１を介して外部装置へ送出される。
【００１７】
ネットワークインターフェース１は、ネットワークを介して外部装置から送信されるファイルシステム制御部５へのコマンド、例えば、ＦＴＰコマンドなどをファイルシステム制御部５へ送出する。
【００１８】
ＶＴＲシステム部３は、磁気テープを備えたビデオカセット１０を図示しないビデオカセット装着部に装着し、上述したバッファメモリ２から送出された映像信号、音声信号の磁気テープへの記録、磁気テープ上に記録された映像信号、音声信号の再生を実行する。
【００１９】
ＶＴＲシステム部３は、装着されたビデオカセット１０の磁気テープを走行駆動させる磁気テープ駆動部と、バッファメモリ２から入力された映像信号、音声信号を磁気テープへ記録させるために最適な所定の信号形式に変換する記録信号処理、及び、磁気テープに記録された映像信号、音声信号を再生して所定の信号形式に変換する再生信号処理を実行する信号処理部とを備えている。
【００２０】
磁気テープ駆動部は、例えば、ビデオカセット１０が図示しない装着部に装着されると、テープローディング機構によってビデオカセット１０の筐体（以下、ビデオカセット１０の筐体をカセットハーフと呼ぶ）内から、図２に示すように磁気テープ１１を引き出す。引き出された磁気テープ１１は、供給リール（以下、Ｓリールと呼ぶ）１２からテープガイド１３を経由し、図示しない記録用磁気ヘッドと、再生用磁気ヘッドとを有する回転ドラム１４に既定の巻き付け角度で且つ一定のテンションにて巻き付けられ、磁気テープ１１を既定の速度で走行させるキャプスタン１５と、ピンチローラ１６とに挟まれた経路を通過して、巻き取りリール（以下、Ｔリールと呼ぶ）１７へと到達する。
【００２１】
Ｓリール１２、キャプスタン１５、Ｔリール１７には、それぞれを回転駆動させる専用の動力部である図示しないＳリールモータ、キャプスタンモータ、Ｔリールモータがそれぞれ備えられている。
【００２２】
Ｓリールモータ、キャプスタンモータ、Ｔリールモータには、それぞれ図示しないＦＧ（周波数発生器）が備えられており、各モータの回転情報が検出され、検出されたモータの回転情報は、ファイル情報の１つである巻径情報を算出する際に用いられる。
【００２３】
磁気テープ駆動部のＳリール１２、回転ドラム１３、キャプスタン１５、Ｔリール１７は、ＣＰＵ８によってそれぞれを駆動する図示しないモータが制御されることで磁気テープ１１を駆動走行させる。
【００２４】
信号処理部は、記録時に、バッファメモリ２から入力された映像信号に、例えば、ＭＰＥＧ（Moving Picture Expert Group）による圧縮符号化をし、圧縮符号化した映像信号、及び、バッファメモリ２から入力された音声信号にリードソロモン積符号による誤り訂正符号化を施して、誤り訂正コードを付加し、さらに同期データ、ＩＤデータを付加した後、チャンネルコーディングされたシリアルデータを形成して、これを記録用磁気ヘッドによって磁気テープ１１上の所定のトラック、映像信号はＶＩＤＥＯトラック、音声信号はＡＵＤＩＯトラックに記録をする。信号処理部は、ＭＰＥＧによる圧縮符号化を行っており、圧縮符号化された映像信号を１ＧＯＰ毎に磁気テープ１１に記録をしている。
【００２５】
磁気テープ１１上の長手方向に設けられたコントロールトラックには、テープ走行サーボ制御に用いられるコントロール信号が記録され、タイムコード（ＴＣ）トラックには、磁気テープ１１に記録された映像信号の位置情報であるタイムコード（ＴＣ）が記録される。
【００２６】
また、信号処理部は、再生時に、再生用磁気ヘッドによって読み出された映像信号、音声信号を記録時とは逆の処理を施し、誤り訂正がなされた音声信号をバッファメモリ２へ出力し、同じく誤り訂正がなされた映像信号を伸長復号してバッファメモリ２へ出力する。
【００２７】
ＶＴＲシステム３は、後述するコントロールパネル４からのコマンド入力に応じて、又は、後述するファイルシステム制御部５からの指令を受けたＣＰＵ８のファイルシステムに基づいた制御に応じて、磁気テープ駆動部が磁気テープを所定の速度で走行させると共に、信号処理部が磁気テープ１１へ映像信号、音声信号の記録又は磁気テープ１１から映像信号、音声信号を再生する。
【００２８】
コントロールパネル４は、ユーザが指定するＶＴＲシステム部３の所定の動作を制御するためのコマンドを入力するための操作部である。コントロールパネル４から入力されるコマンドはＶＴＲシステム部３に送出される。ユーザは、例えば、コントロールパネル４から磁気テープ１１への映像信号、音声信号の記録を指示する記録コマンドや、磁気テープ１１へ記録されている映像信号、音声信号の再生を指示する再生コマンドや、磁気テープ１１を早送りをする早送りコマンドや、磁気テープ１１を巻き戻す巻き戻しコマンドなどを入力する。コントロールパネル４から入力するコマンドによって、後述するファイルシステムによる管理を経由せずに磁気テープ１１へ所定の映像信号、音声信号を記録することができる。
【００２９】
続いて、ＶＴＲのファイルシステムのファイル管理を担うファイルシステム制御部５、ＥＮＣ／ＤＥＣ６、ファイルシステム用メモリ７、ＣＰＵ８の各機能について説明する前に、本発明の実施の形態として示すＶＴＲのファイルシステムによるファイル管理の概略について説明する。
【００３０】
ファイルシステムは、磁気テープ１１に記録された映像信号、音声信号をファイル化し、ファイル情報に基づいて、ファイル管理をするシステムである。ファイルシステムのファイル管理に用いるファイル情報は、当該ファイルが記録されている各ビデオカセット１０毎に、ビデオカセット１０に貼り付けられた後述するメモリタグ２５に記憶保持される。
【００３１】
メモリタグ２５に記憶保持されているファイル情報は、ビデオカセット１０が当該ＶＴＲの図示しないビデオカセット装着部に装着されると、メモリタグ２５から非接触でＥＮＣ／ＤＥＣ６へファイル情報が送信され、送信されたファイル情報は、ファイルシステム用メモリ７に格納される。このファイルシステム用メモリ７によって格納されたファイル情報は、ファイルシステム制御部５の指令によってＣＰＵ８によって管理され、例えば、ファイルの新規作成、ファイルの更新などが実行される。ファイルシステム用メモリ７のファイル情報が変更、追加、削除がなされると、今度は逆に、ＥＮＣ／ＤＥＣ６からメモリタグ２５へファイル情報が送信され、メモリタグ２５のファイル情報も随時更新される。
【００３２】
ファイルシステム制御部５は、ネットワークインターフェース１を介して、外部装置から送信されるファイル制御のためのコマンド、例えば、ファイル転送などに関するＦＴＰコマンドを受信し、コマンドの指令に応じてＣＰＵ８を制御し、ファイルシステム用メモリ７に記憶されているファイルシステムの内容の更新、削除、新規ファイルの追加などの処理を実行させる
ここで、ビデオカセット１０に貼り付けられたファイル情報を記憶保持するためのメモリタグ２５について説明をする。
【００３３】
メモリタグ２５は、ＥＥＰＲＯＭ（Electrically Erasable Programmable Read-Only Memory）のような記録保持動作が不要で書き換え可能なＩＣメモリ２２と、後述するコイルアンテナ２４で受信された信号をエンコードしてＩＣメモリ２２に書き込み、ＩＣメモリ２２に記憶されている情報を読み出して所定の信号にデコードして後述するコイルアンテナ２４へ送出するエンコーダ／デコーダ（以下、ＥＮＣ／ＤＮＣと呼ぶ）２３と、電磁的に電源の供給及び信号の送受信を行うためのコイルアンテナ２４などを内蔵しており、ＶＴＲのＥＮＣ／ＤＥＣ６と非接触でファイル情報の送受信を行う。メモリタグ２５は、ビデオカセット１０のカセットハーフに貼り付けられる、例えば、磁気テープ１１に記録された内容のタイトルなどが手書き或いはプリントなどにより書き込まれるラベル２１に内蔵されている。
【００３４】
ファイル情報は、このビデオカセット１０のカセットハーフに貼り付けられたメモリタグ２５のＩＣメモリ２２に映像信号の磁気テープ１１への記録時に書き込まれる。また、ビデオカセットを図示しないビデオカセット装着部に装着すると、ＩＣメモリ２２に記憶されているファイル情報が読み出され、ファイルシステム用メモリ７にファイルシステムとして展開される。
【００３５】
以下に、メモリタグ２５のＩＣメモリ２２に記憶される具体的なファイル情報を示す。磁気テープ１１上に記憶された各ファイルのファイル情報は、当該ファイルの名称であるファイル名情報と、当該ファイルの磁気テープ１１上の相対的な位置情報であるファイル開始タイムコード（ＴＣ）情報と、当該ファイルの磁気テープ１１上の絶対的な位置情報であるファイル開始Ｔ側巻径情報と、当該ファイルの磁気テープ１１上の相対的な位置情報であるファイル終了タイムコード（ＴＣ）情報と、当該ファイルの磁気テープ１１上の絶対的な位置情報であるファイル終了Ｔ側巻径情報と、当該ファイルのデータサイズを示すファイルサイズ情報と、当該ファイルに対する実行可能な操作区分、例えば、所有、読み込み、書き込み、実行などを示したファイルアクセス権限情報と、当該ファイルである映像信号の映像方式、例えば、ＮＴＳＣ（National Television System Committee）、ＰＡＬ（Phase Alternation by Line）といった情報を示すシステム情報と、ＭＰＥＧ（Moving Picture Experts Group）圧縮された画像のビットレートをストリーム情報と、当該ファイルが作成された日付を示すファイル作成日情報と、当該ファイルが作成された時間を示すファイル作成時間情報と、当該ファイルが更新された日付を示すファイル更新日情報と、当該ファイルが更新された時間を示すファイル更新時間情報である。
【００３６】
エンコーダ／デコーダ（以下、ＥＮＣ／ＤＥＣと呼ぶ）６は、図示しないコイルアンテナを有しており、非接触型のメモリタグ２５内のコイルアンテナ２４との間で電磁結合をすることで、メモリタグ２５へ電力供給を行うと共に、メモリタグ２５とファイル情報の送受信を行う。
【００３７】
ＥＮＣ／ＤＥＣ６は、メモリタグ２５のコイルアンテナ２４から送信されたファイル情報をエンコードして後段のファイルシステム用メモリ７へ送出する。またＥＮＣ／ＤＥＣ６は、後述するファイルシステム制御部５の制御によりファイルシステムの内容が更新、新規追加された場合に該当するファイル情報を読み出して所定の信号へデコードし、図示しないコイルアンテナから、メモリタグ２５のコイルアンテナ２４へとファイル情報を送信する。
【００３８】
ファイルシステム用メモリ７は、例えば、書き込み、読み出し自在なＲＡＭ（Random Access Memory）などであり、ＥＮＣ／ＤＥＣ６にメモリタグ２５から送信された上述したファイル情報をファイルシステムとして格納する。
【００３９】
ＣＰＵ８は、ＶＴＲの各部を統括的に制御する。また、ＣＰＵ８は、ファイルシステム制御部５からの指令によりファイルシステム用メモリ７に記憶されているファイルシステム内のファイル情報を読み取って、それを基にＶＴＲシステム部３の動作を制御したり、ファイルシステム用メモリ７に記憶されているファイルシステムの内容の更新、削除、新規追加などをする。
【００４０】
続いて、図３に示したフローチャートを用いて、本発明の実施の形態として示すＶＴＲにおいて、ファイルシステムに基づいて磁気テープ１１に情報を記録してファイルを作成する動作について説明をする。
【００４１】
ステップＳ１において、ファイルシステム制御部５は、外部装置から転送される所定のファイルを磁気テープ１１に記録させるためのコマンドであるＳＴＯＲＥコマンド、又は、所定のファイルを磁気テープ１１の空き領域に追加して書き込ませるコマンドであるＡＰＰＥＮＤコマンドをネットワークインターフェース１を介して受信する。
【００４２】
ステップＳ２において、ファイルシステム制御部５はＣＰＵ８を制御して、ファイルシステム用メモリ７に記憶されているファイル情報を取得する。例えば、図４（Ａ）に示すように磁気テープ１１には、あらかじめファイルＸが記録されていたとすると、ＣＰＵ８はファイルＸのファイル情報を取得する。
【００４３】
ステップＳ３において、ＣＰＵ８は、ステップＳ２で取得したファイル情報に基づいて、ＶＴＲシステム部３を制御して磁気テープ１１のファイル領域以外の位置にＣｕｅ  Ｕｐする。例えば、ＣＰＵ８は、図４（Ａ）に示すファイルＸのファイル領域以外にＣｕｅ  Ｕｐすることになる。
【００４４】
ステップＳ４において、ＣＰＵ８は、ＶＴＲシステム部３を制御してＣｕｅ  Ｕｐした位置から、ネットワークインターフェース１を介して外部装置から転送される所定のデータの記録を開始する。
【００４５】
ステップＳ５において、ＣＰＵ８は、磁気テープ１１上のタイムコード（ＴＣ）を抽出する。
【００４６】
ステップＳ６において、ＣＰＵ８は、ステップＳ５で抽出したタイムコード（ＴＣ）と、ステップＳ２で取得したファイル情報とを比較して、現在、データを記録している磁気テープ１１上の位置がファイル領域であるかどうか判断をする。ファイル領域である場合は工程をステップＳ７へと進め、ファイル領域でない場合は工程をステップＳ８へと進める。
【００４７】
ステップＳ７において、ＣＰＵ８は、磁気テープ１１の現在の位置がファイル領域であるからデータの記録を中止し、データの転送がエラーとなったことを通知するメッセージを外部装置に送信する。
【００４８】
ステップＳ８において、ＣＰＵ８は、データの転送が終了して磁気テープ１１への記録が終了した場合は工程をステップＳ９へと進め、データの転送が終了していない場合はタイムコード（ＴＣ）を抽出しながらデータの転送を継続させる。
【００４９】
ステップＳ９において、ＣＰＵ８は、ＶＴＲシステム部３を制御して磁気テープ１１に記録したデータのファイルを作成する。例えば、図４（Ｂ）に示すようにファイルＹが作成されたとすると、ファイルＹは、あらかじめ磁気テープ１１上に記録されていたファイルＸの領域以外のデータ記録領域に書き込まれることになる。
【００５０】
作成されたファイルのファイル情報は、ファイルシステム制御部５の制御に応じて、ＣＰＵ８によってファイルシステム用メモリ７に書き込まれる。
【００５１】
このように、ファイルシステムを用いることで、磁気テープ１１には、ファイルＸのファイル領域以外に新たなファイルが作成されることになる。
【００５２】
さらに、図５に示すフローチャートを用いて、本発明の実施の形態として示すＶＴＲにおいて、磁気テープ１１に既に記録された所定の情報をファイル化してファイルを作成する動作について説明する。
【００５３】
磁気テープ１１には、例えば、図６（Ａ）に示すようにファイルＡとしてファイル化された映像信号があらかじめ記録されているとする。また、磁気テープ１１上にはコントロールパネル４からの指示によってファイルシステムを用いずに映像信号が記録されているとする。
【００５４】
まず、ステップＳ１１において、ファイルシステム制御部５は、外部装置からネットワークインターフェースを介して送信される作成するファイルに与えるファイル名情報を受信し、ＣＰＵ８に受信したファイル名情報を送出する。例えば、ＣＰＵ８は、ファイルＢというファイル名情報を取得する。
【００５５】
ステップＳ１２において、ＣＰＵ８は、ＶＴＲシステム部３を制御して、磁気テープ１１を走行させファイル開始点となる位置にＣｕｅ  Ｕｐする。例えば、図６（Ｂ）に示すようにファイルＢのファイル開始点は、ファイルＡ内に”ＢＳ”として示した位置であったとすると、”ＢＳ”の位置にＣｕｅ  Ｕｐする。Ｃｕｅ  Ｕｐされると工程はステップＳ１３へと進む。
【００５６】
ステップＳ１３において、ＣＰＵ８は、Ｃｕｅ  Ｕｐしたファイルのタイムコード（ＴＣ）と、Ｔリール１７の巻径情報を取得し、それぞれファイル開始タイムコード（ＴＣ）情報、ファイル開始Ｔ側巻径情報とする。
【００５７】
ステップＳ１４において、ＣＰＵ８は、ＶＴＲシステム部３を制御して、磁気テープ１１を走行させファイル終了点となる位置にＣｕｅ  Ｕｐする。例えば、図６（Ｂ）に示すようにファイルＢのファイル終了点は、”ＢＥ”として示した位置であったとすると、”ＢＥ”の位置にＣｕｅ  Ｕｐする。Ｃｕｅ  Ｕｐされると工程はステップＳ１５へと進む。
【００５８】
ステップＳ１５において、ＣＰＵ８は、Ｃｕｅ  Ｕｐしたファイルのタイムコード（ＴＣ）と、Ｔリール１７の巻径情報を取得し、それぞれファイル終了タイムコード（ＴＣ）情報、ファイル終了Ｔ側巻径情報とする。
【００５９】
ステップＳ１６において、ＣＰＵ８は、現在の日付と、時間とを取得する。
【００６０】
ステップＳ１７において、ＣＰＵ８は、磁気テープ１１の”ＢＳ”の位置から”ＢＥ”の位置に記録されているデータをファイルＢとする。
【００６１】
このようにして作成されたファイルＢは、図６（Ｂ）に示すように磁気テープ１１上の”ＢＳ”の位置から”ＡＥ”の位置に記録されている映像信号がファイルＡと重複されたものとなり、ファイルシステムに拘わらずファイルが作成される。
【００６２】
これにより、例えば、図７に示すように長時間記録された映像ファイル３０を、短い時間の映像ファイル３１、静止画像ファイル３２というように使い分けることができる。
【００６３】
【発明の効果】
以上の説明からも明らかなように、本発明の情報処理装置は、既にファイルが記録された記録媒体に新規ファイルを作成する場合、ファイルが作成されているファイル領域に拘わらず、命令生成手段で生成されたファイル作成命令に応じて、ファイル作成手段が所定の情報を新規ファイルとしてファイル化することで、記録媒体に記録された所定の情報から自由にファイルを作成することを可能とする。
【００６４】
また、本発明の情報処理装置は、既に記録媒体に記録されているファイルの情報を重複した新規ファイルを作成できるため、記録媒体の記録容量を有効に利用することを可能とする。
【図面の簡単な説明】
【図１】本発明の実施の形態として示すＶＴＲの要部構成を説明するためのブロック図である。
【図２】同ＶＴＲにおいて、磁気テープ駆動部の要部構成を説明するためのブロック図である。
【図３】同ＶＴＲにおいて、ファイルシステムを用いて記録媒体に情報を記録しファイルを作成する動作について説明するためのフローチャートである。
【図４】同ＶＴＲにおいて、（Ａ）は磁気テープに１つのファイルが記録されている様子を示す図であり、（Ｂ）は図４（Ａ）で示した磁気テープ上に新たに情報を記録しファイル化させた様子を示す図である。
【図５】同ＶＴＲにおいて、ファイルシステムを用いずに記録媒体に記録された情報からファイルを作成する動作について説明するためのフローチャートである。
【図６】同ＶＴＲにおいて、（Ａ）は磁気テープに既に記録された情報がファイル化された様子を示す図であり、（Ｂ）は図６（Ａ）で示したファイルの情報を重複して新規ファイルが作成されている様子を示す図である。
【図７】同ＶＴＲにおいて、作成されるファイルの一例を示した図である。
【符号の説明】
１  ネットワークインターフェース、２  バッファメモリ、３  ＶＴＲシステム部、４  コントロールパネル、５  ファイルシステム制御部、６  エンコーダ／デコーダ、７  ファイルシステム用メモリ、８  ＣＰＵ、１０  ビデオカセット、１１  磁気テープ、１２  供給リール（Ｓリール）、１３  テープガイド、１４  回転ドラム、１５  キャプスタン、１６  ピンチローラ、１７  巻き取りリール（Ｔリール）、２１  ラベル、２２  ＩＣメモリ、２３  エンコーダ／騨コーダ、２４  コイルアンテナ、２５  メモリタグ
【図１】
0004524950.tif 000002
【図２】
0004524950.tif 000003
【図３】
0004524950.tif 000004
【図４】
0004524950.tif 000005
【図５】
0004524950.tif 000006
【図６】
0004524950.tif 000007
【図７】
0004524950.tif 000008